(57)【特許請求の範囲】
【請求項１】
薄帯状磁性材料を多数枚重ねて開放端同士が接合され、円弧状の角部を持つ略矩形状に成形された巻鉄心と、該巻鉄心に挿入された巻線とを備える静止誘導電器であって、
前記巻鉄心の上部両側の内周円弧部に設けた、略水平外側方向に応力をかけつつ前記巻鉄心の荷重を支持する手段と、
前記巻鉄心の下部両側の外周円弧部に設けた、略水平内側方向に応力をかけつつ前記巻鉄心の荷重を支持する手段と、
を備える静止誘導電器。
【請求項２】
請求項１に記載の静止誘導電器において、
前記巻鉄心の上部両側の内周円弧部、および下部両側の外周円弧部に付加する略水平方向の応力と、前記巻鉄心の鉛直方向に作用する荷重の反作用の合力が、前記巻鉄心の円弧部の動径方向を向いていることを特徴とする静止誘導電器。
【請求項３】
請求項１に記載の静止誘導電器において、
前記巻鉄心の上部両側の内周円弧部に設けた、前記略水平外側方向に応力をかけつつ前記巻鉄心の荷重を支持する手段は、前記内周円弧部と略同一の曲率半径を持つ棒状部材と、該棒状部材に略水平外側方向に応力をかける部材から成ることを特徴とする静止誘導電器。
【請求項４】
請求項３に記載の静止誘導電器において、
前記棒状部材にかかる巻鉄心の荷重は、前記巻鉄心以外の部材により支持されていることを特徴とする静止誘導電器。
【請求項５】
請求項３に記載の静止誘導電器において、
前記棒状部材に略水平外側方向に応力をかける部材は、前記棒状部材と前記巻鉄心の円弧部との間に掛け渡し、締め付け圧力を付加する第１のバインド材であることを特徴とする静止誘導電器。
【請求項６】
請求項５に記載の静止誘導電器において、更に、
前記棒状部材と前記巻鉄心の上部の円弧部との間に掛け渡し、略鉛直上向き方向の締め付け圧力を付加する第２のバインド材を備えることを特徴とする静止誘導電器。
【請求項７】
請求項１に記載の静止誘導電器において、
前記巻鉄心の下部両側の外周円弧部に設けた、前記略水平内側方向に応力をかけつつ巻鉄心の荷重を支持する手段は、前記巻鉄心の下部の外周円弧部と略同一の曲率半径を持つ受け金具と、該受け金具に略水平内側方向に応力をかける部材から成ることを特徴とする静止誘導電器。
【請求項８】
請求項７に記載の静止誘導電器において、
前記受け金具に略水平内側方向に応力をかける部材は、前記巻鉄心の下部の外周円弧部に当てた２組の受け金具の側面に、それぞれ当接し、互いに略水平内側方向に応力をかける第２の金具であることを特徴とする静止誘導電器。
【請求項９】
請求項７に記載の静止誘導電器において、
前記受け金具に略水平内側方向に応力をかける部材は、前記巻鉄心の下部両側の内周円弧部に設けた、前記巻鉄心の下部両側の内周円弧部と略同一の曲率半径を持つ棒状部材と、
前記棒状部材と前記受け金具との間に掛け渡し、締め付け圧力を付加するバインド材から成ることを特徴とする静止誘導電器。
【請求項１０】
請求項１に記載の静止誘導電器において、
前記巻鉄心の内周部に、上部両側の角部を円弧状に飛び出した形状とした矩形状金具を備え、円弧状飛び出し部の曲率半径は巻鉄心の内周円弧部の曲率半径と略同一とし、該矩形状金具に略水平外側方向に応力をかけつつ巻鉄心の荷重をかけることを特徴とする静止誘導電器。
【請求項１１】
請求項１０に記載の静止誘導電器において、
前記矩形状金具と前記巻鉄心の円弧部との間に掛け渡し、締め付け圧力を付加するバインド材を備えることを特徴とする静止誘導電器。
【請求項１２】
請求項１から１１の何れか１項に記載の静止誘導電器は、
単一の巻鉄心の磁脚部に巻線を巻回させた単相構成であることを特徴とする静止誘導電器。
【請求項１３】
請求項１から１１の何れか１項に記載の静止誘導電器は、
２つの内側巻鉄心を隣接させ、該内側巻鉄心の外側に１つの外側巻鉄心を備え、３箇所の磁脚部に三相巻線を巻回させた三相三脚構成であることを特徴とする静止誘導電器。
【請求項１４】
請求項１から１１の何れか１項に記載の静止誘導電器は、
４つの巻鉄心を並列させ、該巻鉄心の磁脚部同士が隣接した３箇所に三相巻線を巻回させた三相五脚構成であることを特徴とする静止誘導電器。
【請求項１５】
請求項１から１４の何れか１項に記載の静止誘導電器において、
前記巻鉄心は、薄帯状の極薄電磁鋼板、アモルファス合金、またはナノ結晶合金であることを特徴とする静止誘導電器。
【発明の詳細な説明】
【技術分野】
【０００１】
本発明は、変圧器、リアクトル等の静止誘導電器に用いられる、薄帯状磁性材料を切断、積層して略Ｕ字形に成型し、一端をラップジョイント技術等により閉じて構成される環状巻鉄心に関し、特に、該巻鉄心の励磁騒音の低減技術に関する。
【背景技術】
【０００２】
極薄電磁鋼板、アモルファス合金、ナノ結晶合金等の低損失磁性材料は、材料内に流れる渦電流による損失を抑制するため、その厚さがおおむね１００μｍ以下の薄帯状である。変圧器、リアクトル等の静止誘導電器は、それらの材料を規定の長さに切断して多数枚を重ねて一端が開放されたＵ字形とし、該開放部から単相、あるいは多相の巻線を挿入して開放部を閉じ、バットジョイントやラップジョイント等の接合部を備えた、略円形、あるいは略矩形の巻鉄心より構成される。また、巻鉄心は巻線が備えられた直線部（磁脚部）を鉛直方向に、巻線が備えられていない直線部（ヨーク部）を水平方向に向けた姿勢で保持され、静止誘導電器として使われるのが一般的である。
【０００３】
上記の巻鉄心は、磁気損失の増加を防止するため、薄帯状磁性材料同士を接着、固定させないという特徴がある。このため、巻鉄心単独ではその形状を保持することができず、何らかの支持手段により自立させ、静止誘導電器用鉄心として機能させることが一般的である。例えば特許文献１には、略円形の巻鉄心のヨーク部内周に矩形成型する型金を当て、かつ外周にＵ字状の成形保持金具を当てることで、該巻鉄心を円弧状の角部を持つ矩形に成形し、およびその形状の維持を円滑、良好に可能にする金具の形状と製作方法に関する技術が開示されている。
【０００４】
また、静止誘導電器の巻線に交流電圧を印加すると、巻鉄心内には交流磁束が発生し、巻鉄心を構成する磁性材料が磁歪現象により伸縮する。この伸縮に起因して巻鉄心が振動し、騒音源となることから、この騒音を低減するための技術も多く開示されている。例えば特許文献２には、巻鉄心の外周に薄板状の外枠を巻き、該外枠の締付圧力を適正な値に制御することにより、鉄心の磁気特性を安定的に保持する技術が開示されている。
【先行技術文献】
【特許文献】
【０００５】
【特許文献１】特開２００１−７６９５１号公報
【特許文献２】特開平４−２０６６１０号公報
【発明の概要】
【発明が解決しようとする課題】
【０００６】
先行技術による、円弧状の角部を持つ矩形に成形した巻鉄心の保持方法は、いずれも該巻鉄心の荷重を鉛直方向に支持しており、磁脚部、ヨーク部等の直線部で発生する磁歪に起因する振動速度（騒音値に比例）は抑制されておらず、十分な騒音低減効果が得られにくいという課題がある。
【０００７】
本発明は、巻鉄心の直線部で発生する大きな磁歪振動を抑制し、磁歪に起因する騒音を低減した静止誘導電器を提供することを目的とする。
【課題を解決するための手段】
【０００８】
上記課題を解決するため、特許請求の範囲に記載された構成を採用する。
本願は上記課題を解決する複数の手段を含んでいるが、その一例を挙げるならば、薄帯状磁性材料を多数枚重ねて開放端同士が接合され、円弧状の角部を持つ略矩形状に成形された巻鉄心と、該巻鉄心に挿入された巻線とを備える静止誘導電器であって、前記巻鉄心の上部両側の内周円弧部に設けた、略水平外側方向に応力をかけつつ前記巻鉄心の荷重を支持する手段と、前記巻鉄心の下部両側の外周円弧部に設けた、略水平内側方向に応力をかけつつ前記巻鉄心の荷重を支持する手段と、を備えるものである。
【０００９】
本発明の静止誘導電器において、前記巻鉄心の上部両側の内周円弧部に設けた、前記略水平外側方向に応力をかけつつ前記巻鉄心の荷重を支持する手段は、前記内周円弧部と略同一の曲率半径を持つ棒状部材と、該棒状部材に略水平外側方向に応力をかける部材から成るのが好ましい。
【００１０】
また、本発明の静止誘導電器において、前記巻鉄心の下部両側の外周円弧部に設けた、前記略水平内側方向に応力をかけつつ巻鉄心の荷重を支持する手段は、前記巻鉄心の下部の外周円弧部と略同一の曲率半径を持つ受け金具と、該受け金具に略水平内側方向に応力をかける部材から成るのが好ましい。
【発明の効果】
【００１１】
本発明の構成により、円弧状の角部を持つ静止誘導電器用巻鉄心の荷重を、磁脚部、ヨーク部等の直線部で鉛直方向に支持するのではなく、該巻鉄心の磁歪振動の方向が分散される円弧状の角部で、該角部の動径方向に支持することが可能となる。その結果、該巻鉄心の直線部で発生する大きな磁歪振動を抑制することができ、先行技術による巻鉄心の支持方法に比べて、磁歪に起因する騒音が低減される。さらに、支持部材に付加する各応力の大きさを製造時に制御することにより、巻鉄心の騒音の製造ばらつきを先行技術に比べて簡便に抑制することが可能になる。
【図面の簡単な説明】
【００１２】
【図１】本発明の第１の実施例を示す、単相静止誘導電器の縦断面図。
【図２】本発明の第２の実施例を示す、単相静止誘導電器の縦断面図。
【図３】本発明の第３の実施例を示す、単相静止誘導電器の縦断面図。
【図４】本発明の第４の実施例を示す、単相静止誘導電器の縦断面図。
【図５】本発明の第５の実施例を示す、単相静止誘導電器の縦断面図。
【図６】本発明の第６の実施例を示す、三相静止誘導電器の縦断面図。
【図７】本発明の第７の実施例を示す、三相静止誘導電器の縦断面図。
【図８】三次元磁界解析による、単相アモルファス巻鉄心の磁歪力分布の計算結果を示す図。
【図９】三次元構造解析による、従来の支持方法による単相アモルファス巻鉄心の磁歪振動による変形量を示す図。
【図１０】三次元構造解析による、本発明の支持方法による単相アモルファス巻鉄心の磁歪振動による変形量を示す図。
【発明を実施するための形態】
【００１３】
以下、本発明の複数の実施例を、図面を用いて詳細に説明する。なお、実施例を説明するための各図において、同一の構成要素には同一の名称、符号を付して、その繰り返しの説明を省略する。
【実施例１】
【００１４】
図１は、本発明の第１の実施例を示す、単相静止誘導電器の縦断面図である。なお、本実施例は、本発明の効果を得るために必要な最低限の構成と、その基本的作用を説明するものである。本作用を実際の静止誘導電器で発現させるための具体的な構成は、実施例２以降で例示する。
【００１５】
円弧状の角部を持つ、薄帯状磁性材料を多数枚重ねて構成される略矩形の単相巻鉄心１の鉛直方向直線部（磁脚部）に２組の巻線２が備えられた静止誘導電器において、該巻鉄心１の上部両側の内周円弧部１ａに、鉄心の荷重の反作用５ａが鉛直上向きにかかる構成とする。このとき、内周円弧部１ａに互いに水平外側方向に応力６ａが作用する手段を設けると、該巻鉄心１の上部の荷重の反作用方向は、荷重の反作用５ａと応力６ａの合力７ａとなり、該巻鉄心１の上部の円弧部の動径方向となる。巻鉄心１の下部両側の外周円弧部１ｂには、該巻鉄心１の荷重の反作用５ｂが鉛直上向きに作用する。このとき、外周円弧部１ｂに互いに水平内側方向に応力６ｂが作用する手段を設けると、該巻鉄心１の下部の荷重の反作用方向は、荷重の反作用５ｂと応力６ｂの合力７ｂとなり、巻鉄心１の下部の円弧部の動径方向となる。
【００１６】
次に、本発明の構成により得られる、巻鉄心の磁歪に起因する騒音の低減効果について、三次元磁界解析および三次元構造解析による計算結果を用いて説明する。
【００１７】
図８は、薄帯状磁性材料からなる単相巻鉄心を５０Ｈｚで励磁したとき（巻線は図示せず）、磁性材料が持つ磁歪特性により発生する、鉄心表面の応力（磁歪力）の最大値の分布を三次元磁界解析により計算した結果である。矢印が長く、濃度が高いほど磁歪力の振幅が大きいことを意味する。本解析で仮定した磁性材料は、厚さ２５μｍの(株)日立金属製２６０５ＨＢ１Ｍアモルファス薄帯であり、巻鉄心の寸法、励磁条件、機械的特性および磁歪特性は表１に示す数値の通りである。
【００１８】
【表１】
0006538591.tif 000002
【００１９】
巻鉄心の表面に発生する磁歪力は、磁脚部、ヨーク部等の直線部で大きいのに対し、円弧部では磁歪力が作用する方向が分散されるため、その値は直線部での値の１／２以下となる。
【００２０】
図９、図１０に、三次元磁界解析により求めた磁歪力による、巻鉄心の励磁振動に伴う変形量を三次元構造解析により求めた結果を示す。なお、磁歪力による振動の基本周波数は、巻鉄心の励磁周波数５０Ｈｚの２倍に相当する１００Ｈｚとなり、各図は変形量が最大値をとる、位相が１８０度異なる２つの状態を並べて示している。また、これらの図に示した巻鉄心の変形量は、実際の大きさの１０万倍に強調して描画している。
【００２１】
本計算において、図９と図１０では巻鉄心１の拘束面５０の箇所が異なる。すなわち、図９は従来の巻鉄心の支持状態を模擬し、鉄心の上部ヨークの内周面と下部ヨークの外周面を拘束している。この形態は、巻鉄心の荷重を鉛直方向に支持する状態を模擬している。これに対して、図１０は本実施例による巻鉄心の支持状態を模擬し、鉄心の上部両側の円弧部内周面と、下部両側の円弧部外周面を拘束している。この形態は、巻鉄心の円弧部に水平方向の応力をかけ、荷重との合力が該円弧部の動径方向に向くように支持する状態を模擬している。
【００２２】
円弧状の角部を持つ略矩形状巻鉄心に作用する１００Ｈｚで振動する磁歪力に伴って、磁脚部が水平方向に開閉する振動モードが支配的となる。本解析によれば、図９に示した従来の支持方法では、磁脚部の最大変位量は約０．６５μｍであるのに対し、図１０に示した、本実施例を模擬した支持方法では、磁脚部の最大変位量は約０．１μｍであり、従来例の１／６以下に減少している。本実施例を模擬した支持方法は、磁歪力が作用する方向が分散される鉄心の円弧部を拘束しているため、振動の振幅が抑制される。それに伴い本解析によれば鉄心表面で発生する音圧レベルは従来例より約１０ｄＢ低減され、本実施例により、十分な騒音低減効果が得られる。
【００２３】
本実施例の静止誘導電器は、巻鉄心の上部両側の内周円弧部に設けた、略水平外側方向に応力をかけつつ前記巻鉄心の荷重を支持する手段と、巻鉄心の下部両側の外周円弧部に設けた、略水平内側方向に応力をかけつつ巻鉄心の荷重を支持する手段とを備えるものである。そして、巻鉄心の上部両側の内周円弧部、および下部両側の外周円弧部に付加する略水平方向の応力と、巻鉄心の鉛直方向に作用する荷重の反作用の合力が、巻鉄心の円弧部の動径方向を向いているものである。
【００２４】
本実施例によれば、円弧状の角部を持つ静止誘導電器用巻鉄心の荷重を、該巻鉄心の磁歪振動の方向が分散される円弧状の角部で、該角部の動径方向に支持するので、巻鉄心の直線部で発生する大きな磁歪振動を抑制することができ、磁歪に起因する騒音を低減することができる。
【実施例２】
【００２５】
図２は、本発明の第２の実施例を示す、単相静止誘導電器の縦断面図である。実施例１で説明した本発明の効果を得るため、本実施例では巻鉄心１の上部両側の内周円弧部１ａに、該円弧部と略同一の曲率半径ｒを持つ２組の棒状部材３を当接させる。そして、該棒状部材３にバインド材３１をかけ、さらに該バインド材３１を巻鉄心１の上部の円弧部にかけて締め付け圧力６ａを付加し、互いに略水平外側方向に応力がかかる構成とする。棒状部材３にかかる巻鉄心１の荷重５ａは、巻線２などの巻鉄心以外の構造物にかかるようにし、その構造物は支持部材(図示せず)で支持する構成とする。図２では、一例として、該荷重と巻線自体の荷重を合わせた反作用５ｃが巻線２の下端にかかることを示しており、反作用５ｃは、巻線を支持する支持部材（図示せず）により支えられる。本構成により、該巻鉄心１の上部の荷重の反作用方向は、巻鉄心の荷重５ａと締め付け圧力６ａの合力７ａとなり、該巻鉄心１の上部の円弧部の動径方向となる。なお、巻鉄心１を囲む電流路が形成されることを避けるため、棒状部材３とバインド材３１の少なくとも一方は絶縁性材料により構成する。
【００２６】
次に、巻鉄心１の下部両側の外周円弧部には、該円弧部と略同一の曲率半径を持つ２組の受け金具４を当てる。該受け金具４の側面には第２の金具１０を当て、互いに内側方向に圧力をかけつつ底面に固定することにより、締め付け圧力６ｂを付加する。受け金具４には、巻鉄心１の荷重の反作用５ｂが鉛直上向きに作用しているので、巻鉄心１の下部の円弧部に作用する荷重の方向は、荷重の反作用５ｂと締め付け圧力６ｂの合力７ｂとなり、動径方向となる。なお、図２では、受け金具４の側面に当たる第２の金具１０を設けたが、受け金具４の剛性が高い場合には、第２の金具１０を設けなくても良い。
【００２７】
本実施例の巻鉄心の取り付けは、薄帯状磁性材料を多数枚重ねて構成される略矩形状の巻鉄心の上部両側の内周円弧部に２本の棒状部材を入れ、略水平外側方向に応力をかけつつ巻線に鉄心の荷重をかける。そして、巻鉄心の下部両側の外周円弧部に円弧状の受け金具を当てて略水平内側方向に応力をかけつつ鉄心の荷重をかける。鉄心の磁歪力の方向が分散する円弧部に荷重をかけることにより、磁歪に起因する励磁騒音が低減される。
【００２８】
本実施例よれば、巻鉄心の上部両側の内周円弧部に棒状部材を当接させ、該棒状部材と巻鉄心の円弧部にバインド材をかけて締め付け圧力を付加するようにしたので、巻鉄心の直線部で発生する大きな磁歪振動を抑制することができ、磁歪に起因する騒音を低減することができるとともに、バインド材により締め付け圧力を調節することができる。また、巻鉄心の下部両側の外周円弧部に２組の受け金具４を当て、互いに内側方向に圧力をかけつつ底面に固定することにより、締め付け圧力を付加するようにしたので、簡単な構造により、巻鉄心の直線部で発生する大きな磁歪振動を抑制することができ、磁歪に起因する騒音を低減することができる。
【実施例３】
【００２９】
図３は、本発明の第３の実施例を示す、単相静止誘導電器の縦断面図である。本実施例における、巻鉄心１の上部の構成は実施例２と同様であるため、その作用の説明は省略する。
【００３０】
本実施例では、巻鉄心１の下部両側の内周円弧部に、該円弧部と略同一の曲率半径ｒを持つ２組の棒状部材３ａを当接させる。そして、巻鉄心１の下部両側の外周円弧部に、該円弧部と略同一の曲率半径を持つ２組の受け金具４を設け、さらに、受け金具４と棒状部材３ａとの間にバインド材３１をかけて締め付け圧力を付加し、互いに内側方向に応力６ｂがかかる構成とする。
【００３１】
本実施例によれば、巻鉄心の下部両側の内周円弧部に棒状部材を当接させ、巻鉄心の下部両側の外周円弧部に受け金具を設け、受け金具と棒状部材との間にバインド材をかけて締め付け圧力を付加するようにしたので、バインド材により締め付け圧力を調節することができ、巻鉄心の直線部で発生する大きな磁歪振動を最適に抑制することができ、磁歪に起因する騒音を低減することができる。
【実施例４】
【００３２】
図４は、本発明の第４の実施例を示す、単相静止誘導電器の縦断面図である。本実施例における、巻鉄心１の下部の構成は実施例３と同様であるため、その作用の説明は省略する。
【００３３】
本実施例では、巻鉄心１の上部両側の内周円弧部に当てた棒状部材３にそれぞれ２組のバインド材３１、３１ａをかけ、さらに該バインド材３１、３１ａを該巻鉄心１の上部両側の外周円弧部に当てた受け金具４にかけて、締め付け圧力６ａ、６ｃを付加する。締め付け圧力６ａは互いに略水平外側方向に、締め付け圧力６ｃは略鉛直上向き方向にかける。図１において、巻鉄心の荷重の反作用５ａと応力６ａとの合力７ａは、水平方向に対して略４５度の方向が適当である。バインド材３１ａの締め付け圧力６ｃを制御することにより、棒状部材３にかかる巻鉄心１の荷重の反作用との合力の方向を、該巻鉄心１の上部の円弧部の動径方向に、均一、かつ正確に制御することができる。なお、実施例２および実施例３と同様に、本実施例においても巻鉄心１の上部の内周円弧部に当てた棒状部材３にかかる巻鉄心１の荷重は、巻線２などの巻鉄心以外の構造物にかかるようにし、その構造物は支持部材(図示せず)で支持する構成とする。
【００３４】
本実施例によれば、巻鉄心の上部両側の内周円弧部に当てた棒状部材にそれぞれ２組のバインド材をかけ、バインド材の締め付け圧力を異なる大きさに制御できるようにしたので、実施例１の作用効果に加えて、巻鉄心の荷重の反作用との合力の方向を、該巻鉄心の上部の円弧部の動径方向に、均一、かつ正確に制御することができ、巻鉄心の騒音の製造ばらつきを簡便に抑制することが可能になる。
【実施例５】
【００３５】
図５は、本発明の第５の実施例を示す、単相静止誘導電器の縦断面図である。従来、巻鉄心の内周部には矩形状金具が設けられていたが、この矩形状金具を改良することにより、本発明の作用効果を得るように構成したものである。
【００３６】
本実施例では、巻鉄心１の内周部に備えた矩形状金具３２の上部両側の角部を、曲げ加工、あるいは肉盛り加工等により円弧状に飛び出した形状３２ａの如く加工し、該部分を巻鉄心１の上部両側の内周円弧部に当接させる。ここで、円弧状飛び出し部３２ａの曲率半径は、該巻鉄心の内周円弧部の曲率半径と略同一とする。さらに、バインド材３１を矩形状金具３２と巻鉄心１の外周部にかけて、略水平外側方向に締め付け圧力６ａを付加する。
【００３７】
巻鉄心１の下部においても矩形状金具３２を利用して受け金具４との間にバインド材３１をかけ、略水平内側方向に締め付け圧力６ｂを付加する構成としてもよい。
【００３８】
本実施例によれば、従来から用いられている矩形状金具を改良して用いたので、実施例１の作用効果に加えて、従来品の少しの改変で本発明を実施できる。
【実施例６】
【００３９】
図６は、本発明の第６の実施例を示す、三相静止誘導電器の縦断面図である。実施例１から実施例５は、いずれも単相巻鉄心に対する本発明の構成例であるが、本発明は三相巻鉄心にも容易に適用可能である。
【００４０】
本実施例では２つの隣接させた内側巻鉄心４０の外側に、１つの外側巻鉄心４１を巻いた三相三脚型巻鉄心に、３つの巻線を備えて構成される三相静止誘導電器を例示している。実施例１と同様に、内側巻鉄心４０の上部両側の内周円弧部１ａ、および外側巻鉄心４１の下部両側と内側巻鉄心４０の中央磁脚下部の外周円弧部１ｂに、それぞれ水平外側方向の応力６ａ、および水平内側方向の応力６ｂがかかる手段を設けることで、巻鉄心４０、４１の荷重の反作用との合力を、巻鉄心の円弧部の動径方向とすることができ、本発明の効果が得られる。応力６ａおよび応力６ｂを付加する具体的手段は、例えば実施例２から５に記載した任意の構成を用いればよい。
【００４１】
本実施例によれば、三相三脚構成の静止誘導電器において、円弧状の角部を持つ静止誘導電器用巻鉄心の荷重を、該巻鉄心の磁歪振動の方向が分散される円弧状の角部で、該角部の動径方向に支持するので、巻鉄心の直線部で発生する大きな磁歪振動を抑制することができ、磁歪に起因する騒音を低減することができる。
【実施例７】
【００４２】
図７は、本発明の第７の実施例を示す、三相静止誘導電器の縦断面図である。図６では、三相三脚構成の巻鉄心について説明したが、４つの巻鉄心を並列させ、該巻鉄心の磁脚部同士が隣接した３箇所に三相巻線を巻回させた三相五脚構成の巻鉄心にも、本発明を適用することができる。
【００４３】
本実施例では４つの巻鉄心４５を隣接させた三相五脚型巻鉄心に、隣接する２つの巻鉄心の部分に３つの巻線２を備えて構成される三相静止誘導電器を示している。実施例１と同様に、巻鉄心４５の上部両側の内周円弧部１ａ、および巻鉄心４５の下部両側の外周円弧部１ｂに、それぞれ水平外側方向の応力６ａ、および水平内側方向の応力６ｂがかかる手段を設けることで、巻鉄心４５の荷重の反作用との合力を、巻鉄心の円弧部の動径方向とすることができ、本発明の効果が得られる。応力６ａおよび応力６ｂを付加する具体的手段は、例えば実施例２から５に記載した任意の構成を用いればよい。
【００４４】
本実施例によれば、三相五脚構成の静止誘導電器において、円弧状の角部を持つ静止誘導電器用巻鉄心の荷重を、該巻鉄心の磁歪振動の方向が分散される円弧状の角部で、該角部の動径方向に支持するので、巻鉄心の直線部で発生する大きな磁歪振動を抑制することができ、磁歪に起因する騒音を低減することができる。
【００４５】
以上説明した各実施例は本発明の構成を限定するものではなく、巻鉄心の上部および下部に設ける応力付加手段は、異なる実施例に記載した任意の組み合わせとしてもよい。また、応力付加手段としてバインド材３１、３１ａの使用に限定されるものではなく、同じ機能が実現できる、例えばラチェット構造、ターンバックル構造等を利用して応力を付加してもよい。
【符号の説明】
【００４６】
１：巻鉄心
１ａ：巻鉄心上部の内周円弧部
１ｂ：巻鉄心下部の外周円弧部
２：巻線
３：上部棒状部材
３ａ：下部棒状部材
４：受け金具
５ａ，５ｂ，５ｃ：荷重の反作用の方向
６ａ，６ｂ，６ｃ：付加応力の方向
７ａ，７ｂ：荷重の反作用と付加応力の合力の方向
１０：第２の金具
３１，３１ａ：バインド材
３２：矩形状金具
３２ａ：円弧状飛び出し部
４０：内側巻鉄心
４１：外側巻鉄心
４５：三相五脚構成の巻鉄心
５０：拘束面
【図１】
0006538591.tif 000003
【図２】
0006538591.tif 000004
【図３】
0006538591.tif 000005
【図４】
0006538591.tif 000006
【図５】
0006538591.tif 000007
【図６】
0006538591.tif 000008
【図７】
0006538591.tif 000009
【図８】
0006538591.tif 000010
【図９】
0006538591.tif 000011
【図１０】
0006538591.tif 000012